(57)【要約】【課題】テレビ放送受信装置からの制御信号を表示装置が受信不可能な主電源ＯＦＦの状態に設定されていても、緊急放送の際には表示装置を起動し緊急放送を確実に視聴者に通知可能とする。【解決手段】緊急放送を受信するＢＳテレビ放送受信機１に、ＩＲ送信機５を介して制御信号を送信してテレビ受像機２を制御する制御部１９と、緊急放送処理部２０が緊急放送の受信を検知した際に、制御部１９の指示により電源部２２からのテレビ受像機２への電力供給を一定時間中断させる電源スイッチ２２ａとを備え、テレビ受像機２に、電力供給の中断を検知する中断検知センサ２４と、電力供給の中断が検知された際に、制御部１９からの制御信号を受信可能な待機状態へ移行する待機移行部２６とを備え、電流センサ２３にて供給する電力量を測定し、該電力量が、テレビ受像機２の主電源ＯＮ状態を示す一定量よりも少ない場合に、制御部１９は電力供給の中断を行なわせる。【選択図】　　　　図２
2004023591.tif 000002
【特許請求の範囲】
【請求項１】
緊急放送の受信機能を備えたテレビ放送受信装置と、前記テレビ放送受信装置で受信された放送内容を表示する表示装置とからなる緊急放送受信システムにおいて、前記テレビ放送受信装置が、前記表示装置を制御するための制御手段と、前記表示装置へ電力を供給する電力供給手段と、緊急放送受信の際に、前記表示装置への電力供給を一旦停止し、予め定められた一定中断時間経過後に、電力供給を再開させる電力供給中断手段とからなる電力供給装置とを備え、前記表示装置が、前記電力供給中断手段の動作に基づいて、一旦停止された前記電力供給手段からの電力供給が中断された後、予め定められた前記一定中断時間経過後に電力供給が再開されたことを検知する再開検知手段と、該再開検知手段により電力供給の再開が検知された際に、前記制御手段からの制御信号を受信することが可能な待機状態へ移行する待機移行手段とを備えていることを特徴とする緊急放送受信システム。
【請求項２】
請求項１に記載の緊急放送受信システムにおいて、緊急放送受信時における前記電力供給中断手段の動作に基づいて、一旦停止された前記電力供給手段からの電力供給が中断された後、予め定められた前記一定中断時間経過後に電力供給が再開されたことが、前記再開検知手段により検知された際に、前記表示装置が、更に、緊急放送の開始の旨を通報する警告音を出力する警告音出力手段を備えていることを特徴とする緊急放送受信システム。
【請求項３】
請求項１又は２に記載の緊急放送受信システムにおいて、前記テレビ放送受信装置が、更に、前記電力供給手段から前記表示装置へ電力供給している供給電力量を検知する電力検知手段を備え、該電力検知手段が検知した前記表示装置への前記供給電力量が予め定められた一定値よりも少ない場合には、緊急放送受信の際に、前記電力供給中断手段により、前記表示装置への電力供給を一旦停止し、予め定められた前記一定中断時間後に、電力供給を再開させることを特徴とする緊急放送受信システム。
【請求項４】
請求項１又は２に記載の緊急放送受信システムにおいて、前記テレビ放送受信装置が、更に、前記電力供給手段から前記表示装置へ電力供給している供給電力量を検知する電力検知手段を備え、該電力検知手段が検知した前記表示装置への前記供給電力量が予め定められた一定値以上であった場合には、緊急放送の受信がなされたとしても、前記電力供給中断手段を起動させずに、前記表示装置への電力供給を中断させないことを特徴とする緊急放送受信システム。
【請求項５】
請求項１乃至４のいずれかに記載の緊急放送受信システムにおいて、前記テレビ放送受信装置の前記制御手段からの前記表示装置への制御信号が、緊急放送用の制御信号と通常の放送用の制御信号とは異なる符号形式及び／又は信号形式から構成されていることを特徴とする緊急放送受信システム。
【請求項６】
請求項１乃至５のいずれかに記載の緊急放送受信システムにおいて、前記表示装置が、前記中断検知手段による電力供給の中断検知前の電源状態が、電源ＯＦＦ状態にあった場合で、かつ、前記待機移行手段による待機状態への移行後、予め定められた一定時間内に、前記テレビ放送受信装置の前記制御手段からの制御信号を受信することもなく、かつ、当該表示装置のスイッチ操作も一切なされなかった場合には、前記一定時間経過後に、自動的に電源ＯＦＦ状態の電源状態に復帰させることを特徴とする緊急放送受信システム。
【請求項７】
請求項１乃至６のいずれかに記載の緊急放送受信システムにおいて、前記テレビ放送受信装置及び／又は前記表示装置が、緊急放送開始前の通常放送における前記表示装置の電源設定状態及び動作状態を記憶するための記憶手段を備え、緊急放送の終了が検知された際に、前記記憶手段に記憶されていた緊急放送開始前の電源設定状態及び動作状態に自動的に復帰させることを特徴とする緊急放送受信システム。
【請求項８】
請求項７に記載の緊急放送受信システムにおいて、緊急放送が開始された以降において、前記表示装置が、前記テレビ放送受信装置の前記制御手段から緊急放送の終了を示す制御信号を受信する前に、前記テレビ放送受信装置の前記制御手段から通常放送に関する制御信号を受信した場合、もしくは、当該表示装置のスイッチ操作がなされた場合には、受信された該通常放送に関する制御信号、もしくは、当該表示装置の該スイッチ操作に基づいた電源設定状態及び動作状態に設定すると共に、しかる後に、緊急放送の終了を示す制御信号が受信されたとしても、前記記憶手段に記憶されていた緊急放送開始前の電源設定状態及び動作状態には復帰させないことを特徴とする緊急放送受信システム。
【請求項９】
請求項１乃至８のいずれかに記載の緊急放送受信システムにおいて用いられている前記テレビ放送受信装置の前記各手段のいずれかを備えていることを特徴とするテレビ放送受信装置。
【請求項１０】
請求項１乃至８のいずれかに記載の緊急放送受信システムにおいて用いられている前記表示装置の前記各手段のいずれかを備えていることを特徴とする表示装置。
【発明の詳細な説明】
【０００１】
【発明の属する技術分野】
本発明は、緊急放送受信システム、及び、該緊急放送受信システムに用いられるテレビ放送受信装置と表示装置に関する。特に、テレビ放送に重畳されて放送される緊急放送を確実に受信し、該緊急放送を視聴者に通知することを可能とする緊急放送受信システム、及び、該緊急放送受信システムに用いられるテレビ放送受信装置と表示装置に関する。
【０００２】
【従来の技術】
従来の緊急放送受信システム又は緊急放送受信システムに類するものとしては、例えば、特開２０００−１８８７４０号公報「緊急放送できるＣＣＴＶ設備」，特開平５−２１９５０４号公報「緊急放送対応ＣＡＴＶコンバータ」，特開平４−１５６１９２号公報「テレビ受像機の電源制御方式」などがある。これらの各公報に記載の技術は、いずれも、緊急放送や文字放送を受信する受信装置（即ち、特開２０００−１８８７４０号公報におけるＣＣＴＶ端末装置、特開平５−２１９５０４号公報におけるＣＡＴＶコンバータ、特開平４−１５６１９２号公報のおける文字多重放送アダプタ）において、緊急放送や文字放送を受信した際に、表示装置であるテレビ受像機への電力供給を行なうというものである。
【０００３】
また、他の従来技術としては、実用新案登録第３０６５７６２号公報「テレビ緊急字幕ニュース自動受信装置」などがある。第３０６５７６２号公報に記載の該考案は、緊急放送（緊急字幕ニュース）を受信して表示することができるテレビ受像機以外に、緊急放送の受信を検出することができる緊急字幕ニュース自動受信装置即ち緊急放送受信検出器を備え、該緊急放送受信検出器により緊急放送の受信を検出した際に、該緊急放送受信検出器より、テレビ受像機にリモコン信号を送出して、テレビ電源が待機状態であれば、テレビ受像機の電源をＯＮにし、更に、テレビ受像機のチャンネルを緊急放送（緊急字幕ニュース）に変更させるためのリモコン信号を送出することにより、テレビ受像機に緊急放送（緊急字幕ニュース）を映出するというものである。
【０００４】
【発明が解決しようとする課題】
特開２０００−１８８７４０号公報，特開平５−２１９５０４号公報，特開平４−１５６１９２号公報などは、いずれも、前述のごとく、テレビ受像機への電力のＯＮ／ＯＦＦ制御を、緊急放送や文字放送を受信する受信装置側で行なうというものである。つまり、テレビ受像機には、電源スイッチが備えられていないか、もしくは、電源スイッチが備えられているとしても、常に該電源スイッチはＯＮの状態にあり、受信装置側からの電力供給の制御によりテレビ受像機の表示を制御することを前提としている。かかる電力供給制御方法は、例えば、ホテルや病院等に設置されているケーブルテレビ受信システムのように、受信装置とテレビ受像機とが必ずセットとして設置され、更に、テレビ受像機を他の装置と接続することが無いような場合には有効である。
【０００５】
しかしながら、一般の家庭で用いられる場合にあっては、テレビ放送や緊急放送や文字放送を受信する受信装置とテレビ受像機即ち表示装置とは別々に導入されているものであり、また、テレビ受像機即ち表示装置に対してＶＴＲやＤＶＤプレーヤなど他の機器を接続する場合もあり、受信機と一体にして、テレビ受像機そのものには電源スイッチが備えられていなかったり、あるいは、備えられているとしても、常に該電源スイッチをＯＮの状態にしておくということは、一般には少なく、前述の従来技術を一般の家庭用テレビ受像機に適用することはできない。
【０００６】
また、一般のテレビ受像機には、電源ＯＦＦの状態として２つの状態がある。即ち、リモコンからのテレビ受像機に対する制御信号を受信することができない状態である主電源ＯＦＦ状態と、リモコンからの制御信号のうち、テレビ受像機を視聴可能状態に設定するための電源ＯＮ信号を受信することができる待機状態とがある。テレビ受像機として、かかる２つの電源ＯＦＦの状態のうち、主電源ＯＦＦ状態が備えられていなく、待機状態のみが備えられている場合であれば、実用新案登録第３０６５７６２号公報に記載された従来技術を有効に適用することができる。
【０００７】
しかしながら、昨今の環境意識の高まりから、最近は、電源ＯＦＦの状態として主電源ＯＦＦ状態が備えられており、テレビ受像機を視聴していない場合であれば、通常、リモコンからの制御信号を受信することができない主電源ＯＦＦ状態にテレビ受像機を設定している場合が少なくない。かくのごとく、主電源ＯＦＦ状態に設定されていた場合には、実用新案登録第３０６５７６２号公報に記載された従来技術は、たとえ、緊急放送の信号を受信したとしても、該緊急放送をテレビ受像機に表示させることが不可能である。
【０００８】
本発明は、かかる事情に鑑みてなされたものであり、たとえ、表示装置（テレビ受像機）が、テレビ放送受信装置からの制御信号を受信することができない主電源ＯＦＦの状態に設定されていたとしても、表示装置を起動し、緊急放送を確実に、より多くの視聴者に通知可能にせんとするものである。
【０００９】
即ち、放送信号や緊急放送を受信するテレビ放送受信装置に、表示装置（即ち、テレビ受像機）へ電力を供給するための電源部を備え、緊急放送を受信した際には、一時的に、表示装置への電力供給を停止させ、予め定められた時間（例えば、数百ミリ秒）経過後に、電力供給を再開させる電力供給中断手段と、表示装置に、主電源ＯＦＦ状態であった場合には、テレビ放送受信装置からの電力供給の一時的な中断が発生した際に、テレビ放送受信装置からの制御信号である電源ＯＮ信号を受信可能な一時的な待機状態（例えば、５秒程度の待機状態）に、主電源ＯＦＦ状態から移行させるための待機移行手段を備え、而して、表示装置が一時的な該待機状態に移行している間に、テレビ放送受信装置から、表示装置の電源をＯＮするための制御信号を送信することにより、表示装置を起動し、更に、入力端子を緊急放送用チャンネルに切り替える入力切替等を行なうことを可能とし、もって、緊急放送を確実に表示装置に表示せんとするものである。
【００１０】
【課題を解決するための手段】
第１の技術手段は、緊急放送の受信機能を備えたテレビ放送受信装置と、前記テレビ放送受信装置で受信された放送内容を表示する表示装置とからなる緊急放送受信システムにおいて、前記テレビ放送受信装置が、前記表示装置を制御するための制御手段と、前記表示装置へ電力を供給する電力供給手段と、緊急放送受信の際に、前記表示装置への電力供給を一旦停止し、予め定められた一定中断時間経過後に、電力供給を再開させる電力供給中断手段とからなる電力供給装置とを備え、前記表示装置が、前記電力供給中断手段の動作に基づいて、一旦停止された前記電力供給手段からの電力供給が中断された後、予め定められた前記一定中断時間経過後に電力供給が再開されたことを検知する再開検知手段と、該再開検知手段により電力供給の再開が検知された際に、前記制御手段からの制御信号を受信することが可能な待機状態へ移行する待機移行手段とを備えている緊急放送受信システムとすることを特徴とするものである。
【００１１】
第２の技術手段は、前記第１の技術手段に記載の緊急放送受信システムにおいて、緊急放送受信時における前記電力供給中断手段の動作に基づいて、一旦停止された前記電力供給手段からの電力供給が中断された後、予め定められた前記一定中断時間経過後に電力供給が再開されたことが、前記再開検知手段により検知された際に、前記表示装置が、更に、緊急放送の開始の旨を通報する警告音を出力する警告音出力手段を備えている緊急放送受信システムとすることを特徴とするものである。
【００１２】
第３の技術手段は、前記第１又は第２の技術手段に記載の緊急放送受信システムにおいて、前記テレビ放送受信装置が、更に、前記電力供給手段から前記表示装置へ電力供給している供給電力量を検知する電力検知手段を備え、該電力検知手段が検知した前記表示装置への前記供給電力量が予め定められた一定値よりも少ない場合には、緊急放送受信の際に、前記電力供給中断手段により、前記表示装置への電力供給を一旦停止し、予め定められた前記一定中断時間後に、電力供給を再開させる緊急放送受信システムとすることを特徴とするものである。
【００１３】
第４の技術手段は、前記第１又は第２の技術手段に記載の緊急放送受信システムにおいて、前記テレビ放送受信装置が、更に、前記電力供給手段から前記表示装置へ電力供給している供給電力量を検知する電力検知手段を備え、該電力検知手段が検知した前記表示装置への前記供給電力量が予め定められた一定値以上であった場合には、緊急放送の受信がなされたとしても、前記電力供給中断手段を起動させずに、前記表示装置への電力供給を中断させない緊急放送受信システムとすることを特徴とするものである。
【００１４】
第５の技術手段は、前記第１乃至第４の技術手段のいずれかに記載の緊急放送受信システムにおいて、前記テレビ放送受信装置の前記制御手段からの前記表示装置への制御信号が、緊急放送用の制御信号と通常の放送用の制御信号とは異なる符号形式及び／又は信号形式から構成されている緊急放送受信システムとすることを特徴とするものである。
【００１５】
第６の技術手段は、前記第１乃至第５の技術手段のいずれかに記載の緊急放送受信システムにおいて、前記表示装置が、前記中断検知手段による電力供給の中断検知前の電源状態が、電源ＯＦＦ状態にあった場合で、かつ、前記待機移行手段による待機状態への移行後、予め定められた一定時間内に、前記テレビ放送受信装置の前記制御手段からの制御信号を受信することもなく、かつ、当該表示装置のスイッチ操作も一切なされなかった場合には、前記一定時間経過後に、自動的に電源ＯＦＦ状態の電源状態に復帰させる緊急放送受信システムとすることを特徴とするものである。
【００１６】
第７の技術手段は、前記第１乃至第６の技術手段のいずれかに記載の緊急放送受信システムにおいて、前記テレビ放送受信装置及び／又は前記表示装置が、緊急放送開始前の通常放送における前記表示装置の電源設定状態及び動作状態を記憶するための記憶手段を備え、緊急放送の終了が検知された際に、前記記憶手段に記憶されていた緊急放送開始前の電源設定状態及び動作状態に自動的に復帰させる緊急放送受信システムとすることを特徴とするものである。
【００１７】
第８の技術手段は、前記第７の技術手段に記載の緊急放送受信システムにおいて、緊急放送が開始された以降において、前記表示装置が、前記テレビ放送受信装置の前記制御手段から緊急放送の終了を示す制御信号を受信する前に、前記テレビ放送受信装置の前記制御手段から通常放送に関する制御信号を受信した場合、もしくは、当該表示装置のスイッチ操作がなされた場合には、受信された該通常放送に関する制御信号、もしくは、当該表示装置の該スイッチ操作に基づいた電源設定状態及び動作状態に設定すると共に、しかる後に、緊急放送の終了を示す制御信号が受信されたとしても、前記記憶手段に記憶されていた緊急放送開始前の電源設定状態及び動作状態には復帰させない緊急放送受信システムとすることを特徴とするものである。
【００１８】
第９の技術手段は、前記第１乃至第８の技術手段のいずれかに記載の緊急放送受信システムにおいて用いられている前記テレビ放送受信装置の前記各手段のいずれかを備えているテレビ放送受信装置とすることを特徴とするものである。
【００１９】
第１０の技術手段は、前記第１乃至第８の技術手段のいずれかに記載の緊急放送受信システムにおいて用いられている前記表示装置の前記各手段のいずれかを備えている表示装置とすることを特徴とするものである。
【００２０】
【発明の実施の形態】
以下に、本発明に係る緊急放送受信システム、及び、該緊急放送受信システムに用いられるテレビ放送受信装置と表示装置の実施形態に関し、図面を参照しながらその一例を説明する。
図１は、本発明に係る緊急放送受信システムの構成の一例をＢＳデジタル放送の場合を例にして示した概念図である。図１に示す緊急放送受信システムの構成において、テレビ放送や緊急放送を受信する受信装置（テレビ放送受信装置）として、ＢＳデジタル放送受信機１を、また、受信したテレビ放送の映像信号や音声信号あるいは緊急放送を出力して表示する表示装置（テレビ受像機）としては、テレビ信号や文字信号を入力するための映像信号用外部入力端子及び音声信号用外部入力端子を有し、かつ、赤外線による制御信号（即ち、リモコン信号）を送信する赤外線リモコン装置（ＩＲ送信機５）により制御可能な一般的なテレビ受像機２を用いる場合を示している。また、受信装置であるＢＳデジタル放送受信機１は、前記リモコン装置（ＩＲ送信機５）を介して、表示装置であるテレビ受像機２に制御信号を送信可能なように構成されている。
【００２１】
なお、本発明に係る緊急放送受信システムの構成としては、かかる受信装置（即ち、ＢＳテレビ放送受信機１）や表示装置（即ち、テレビ受像機２）のみに限るものではなく、例えば、ＣＳ放送信号や地上波テレビ信号を受信するテレビ放送受信装置であっても良いし、リモコン装置として、赤外線を用いるＩＲ送信機ではなく、例えば、ＩＥＥＥ８０２．１１ｂ規格による無線信号を用いて遠隔操作するものであっても良いし、また、表示装置として、ＣＳ放送信号や地上波テレビ信号の映像や音声を表示したり、赤外線以外の無線信号により制御される表示装置（テレビ受像機）を用いる構成であっても良い。
【００２２】
更には、受信装置であるＢＳデジタル放送受信機１とリモコン装置（ＩＲ送信機５）との間に有線の信号線を備え、該信号線を介して入力されてくる制御信号をリモコン装置（ＩＲ送信機５）において、無線信号に変換して、表示装置であるテレビ受像機２に対して送信する場合を示しているが、本発明は、かかる場合に限るものではなく、ＢＳデジタル放送受信機１とリモコン装置（ＩＲ送信機５）との間を無線信号により接続することとしても良いし、あるいは、ＢＳデジタル放送受信機１から、直接、テレビ受像機２に対して、無線信号による制御信号を送信することとしても良い。
また、受信装置のＢＳテレビ放送受信機１から表示装置のテレビ受像機２へ送信する制御信号を、かかる無線信号を媒体とせずに、受信装置（テレビ放送受信装置）と表示装置（テレビ受像機）との間を接続する信号線を介して有線信号として送信するような構成であっても、勿論、構わない。
【００２３】
図１に示す構成図において、まず、衛星を経由して送信されてくるＢＳデジタル放送電波信号には、デジタル変調された映像信号と音声信号とからなるテレビ信号以外に、テレビ放送の番組情報などの付加情報に関する信号も送信されてきている。この付加情報に関する信号の中には、緊急警報放送（以下、緊急放送と略する）に関する情報も含まれており、該緊急放送に関する情報としては、緊急放送の内容そのものに関する情報の他に、緊急放送を開始もしくは該緊急放送の放送中か否かを示す緊急放送フラグ（緊急放送記述子からなる識別子）や、緊急放送の種類を示す緊急放送種別情報（例えば、地震情報，津波情報）、更には、どの地域に関する情報であるかを示す地域識別情報（例えば、全国，広域，県域等）などの情報が一緒に多重化されて含まれている。
【００２４】
かくのごとき各種情報が多重化されているＢＳデジタル放送電波信号が、パラボラアンテナ３により受信されて、アンテナケーブル４を介して、ＢＳデジタル放送受信機１に入力される。ＢＳデジタル放送受信機１においては、視聴者により選択されたチャンネルのテレビ放送番組が、映像出力端子９ａ及び音声出力端子１０ａから出力され、映像信号用ケーブル９及び音声信号用ケーブル１０を介して、テレビ受像機２の映像信号用外部入力端子９ｂ及び音声信号用外部入力端子１０ｂに入力される。而して、テレビ受像機２の電源がＯＮの状態にある限り、選択されたチャンネルのテレビ放送番組が、テレビ受像機２の表示画面に表示され、スピーカから出力される。
【００２５】
また、ＢＳデジタル放送受信機１には、テレビ受像機２を赤外線無線信号（ＩＲ信号：リモコン信号）を使って制御するために、テレビ受像機２への制御信号を送出するための制御信号接続端子５ａが備えられており、該制御信号接続端子５ａにはＩＲ送信機５が有線接続されている。ＩＲ送信機５は、ＢＳデジタル放送受信機１から入力されてきた制御信号を、赤外線無線信号（ＩＲ信号）に変換して、テレビ受像機２に対して出力する。ＩＲ送信機５からの赤外線無線信号（ＩＲ信号、即ち、ＢＳデジタル放送受信機１からの制御信号）は、テレビ受像機２のリモコン受光窓５ｂに入射されるように、ＩＲ送信機５とテレビ受像機２とが配置されている。
リモコン受光窓５ｂに入射されたＩＲ信号は、元の制御信号に復調されて、復調された制御信号に基づいて、例えば、当該テレビ受像機２の電源をＯＮ／ＯＦＦしたり、入力端子の受信チャンネルの切替設定をしたり、出力音量を変更設定したりする。
【００２６】
更に、テレビ受像機２のテレビ受像機電源プラグ６は、ＢＳデジタル放送受信機１のアウトレット７に接続されていて、ＢＳデジタル放送受信機電源プラグ８からテレビ受像機２に対して電力供給を行なうことを可能としており、例えば、テレビ受信機の主電源がＯＦＦの状態に設定されていたとしても、緊急放送が受信された際には、テレビ受像機２への電力供給状態を制御する（例えば、予め定められた一定時間の間、一時的な中断状態を発生させる）ことにより、テレビ受像機２を一時的な待機状態に移行させると共に、ＩＲ送信機５を介して、電源ＯＮ信号を送信することにより、テレビ受像機２を電源ＯＮ状態に設定し、アウトレット７を介してテレビ受像機２に電力供給されている電力により、緊急放送をテレビ受像機２に表示させることが可能である。
【００２７】
また、図２は、図１に示すＢＳデジタル放送受信機１の詳細な構成の一例を示すブロック構成図である。
アンテナケーブル４を介して入力された放送信号は、チューナ１１に入力されて周波数選択されて、選択されたチャンネルの放送信号が復調器１２に入力され、復調処理が行われる。
復調器１２の出力は、トランスポートストリーム（Ｔｒａｎｓｐｏｒｔ　Ｓｔｒｅａｍ。以下、ＴＳという）とされており、トランスポートストリーム分離部即ちＴＳ分離部１３に送られ、パケットの分離が行なわれる。
【００２８】
即ち、ＴＳ分離部１３においては、ＭＰＥＧビデオデータ、ＭＰＥＧオーディオデータ、及び、ＥＰＧデータや緊急状態情報などを含む付属情報に分離される。ＴＳ分離部１３によって分離されたＭＰＥＧビデオデータは、映像処理部１５に送られる。また、ＭＰＥＧオーディオデータは、音声処理部１４に送られる。
映像処理部１５は、ＴＳ分離部１３から送られてきたＭＰＥＧビデオデータを復号し、オンスクリーン生成部１６からの表示情報（例えば、文字情報や緊急情報など）と合成させて、映像出力端子９ａに送る。音声処理部１４は、ＴＳ分離部１３から送られてきたＭＰＥＧオーディオデータを復号し、音声出力端子１０ａに送る。
【００２９】
一方、ＴＳ分離部１３によって分離された付属情報は、制御部１９を介して、メモリ１８に格納される。メモリ１８に格納された付属情報のうち、緊急状態情報は、緊急放送処理部２０に送られる。緊急放送処理部２０は、該緊急状態情報に含まれている緊急放送開始もしくは緊急放送送信中の緊急放送フラグを検出すると、該緊急状態情報に含まれている地域識別情報（例えば、全国，広域，県域等）に基づいて、当該デジタルＢＳ放送受信機１が設置されている地域が、緊急放送の対象地区であるか否かを判断し、もし、該当する対象地区内であると判断された場合には、緊急放送が放送されているチャンネルを選択し、緊急放送を受信するとの判定を行なう。
【００３０】
また、テレビ放送や緊急放送などの受信その他の動作のために、ＢＳデジタル放送受信機１に必要とする電力は、ＢＳデジタル放送受信機電源プラグ８から、電源ケーブル２１を介して、ＢＳデジタル放送受信機１の電源部２２に供給されており、電源部２２において、ＢＳデジタル放送受信機１内の各回路に必要な電圧に変換され、各回路部に供給されている。更に、ＢＳデジタル放送受信機１の電源部２２からテレビ受像機２に対しても電力を供給するために、電源部２２は、電流センサ２３を介してアウトレット７に接続されている。
【００３１】
電源部２２とアウトレット７との間には、前述のごとく、テレビ受像機２へ供給されている電力量を測定するための電流センサ２３が接続されており、測定された該電力量が予め定められた一定量以上（即ち、テレビ受像機２の待機状態時に必要な電力消費量以上）にあるか否かに基づいて、テレビ受像機２が電源ＯＮの状態に設定されて、テレビ放送や緊急放送を視聴可能な状態にあるか否かを、ＢＳデジタル放送受信機１にて検知することが可能とされている。即ち、電流センサ２３は、テレビ受像機２へ供給している電力量を検知する電力検知手段を構成しており、制御部１９において、検知された該電力量を予め定められた前記一定量と比較することにより、テレビ受像機２がテレビ放送や緊急放送を視聴することができない主電源ＯＦＦの状態にあるか否かを判定することができる。
【００３２】
而して、予め定められた前記一定量よりも少ない電力量であると判定された場合は、緊急放送受信の際には、制御部１９は、テレビ受像機２をＩＲ送信機５からのＩＲ信号（即ち、制御信号）の受信が可能な待機状態に移行させることが必要であると認識することができ、一方、予め定められた前記一定量以上の電力量であると判定された場合は、テレビ受像機２は、ＩＲ送信機５からのＩＲ信号（即ち、制御信号）を受信可能な状態であり、改めて、テレビ受像機２をＩＲ信号（即ち、制御信号）の受信が可能な待機状態に移行させる動作を行なうことは不要であると認識することができる。
【００３３】
また、電源部２２には、テレビ受像機２、つまり、アウトレット７への電力供給を停止するための電源スイッチ２２ａが設けられていて、該電源スイッチ２２ａを制御部１９からＯＮ／ＯＦＦ制御することにより、テレビ受像機２への電力供給の制御を自動的に行なうことが可能とされている。即ち、電源部２２は、テレビ受像機２（表示装置）への電力供給を行なう電力供給手段であるアウトレット７と、緊急放送受信の際に、制御部１９からの制御により、電源スイッチ２２ａを一時的にＯＦＦに設定することにより、アウトレット７への電力供給を一旦停止させ、予め定められた一定の中断時間（例えば、数百ミリ秒）経過後に、制御部１９からの制御により、電源スイッチ２２ａをＯＮに戻して、アウトレット７への電力供給を再開する電力供給中断手段とを備えている電力供給装置として機能している。
【００３４】
而して、例えば、テレビ受像機２の主電源がＯＦＦ状態にあることが、前述のごとく、電流センサ２３によって検出された場合には、制御部１９は、前記電力供給中断手段を用いて、予め定められた一定中断時間の間、該電源スイッチ２２ａをＯＦＦに設定して、テレビ受像機２への電力供給を該一定中断時間の間中断させることにより、テレビ受像機２を主電源ＯＦＦ状態から待機状態に切替設定させることを可能としている。
ここで、テレビ受像機２には、主電源ＯＦＦの状態にあっても、前記電力供給中断手段の緊急放送受信時における動作に基づいて、予め定められた前記一定中断時間経過後に電力供給が再開されたことを検知することができる再開検知センサ２４が設けられており、該再開検知センサ２４の動作に基づいて、当該テレビ受像機２を主電源ＯＦＦの状態から、ＩＲ送信機５からのＩＲ信号（制御信号）を受信可能な待機状態に切替設定する切替設定手段即ち待機移行部２６が設けられている。
【００３５】
また、制御部１９には、制御信号接続端子５ａを介して、前述のごとく、ＩＲ送信機５が接続されており、必要に応じて、テレビ受像機２を制御するためのＩＲ信号（赤外線無線信号、即ち、テレビ受像機２への制御信号）を送出することができる。
【００３６】
従って、緊急放送処理部２０にて、緊急状態情報に含まれている緊急放送開始もしくは緊急放送送信中の緊急放送フラグが検出され、かつ、該緊急状態情報に含まれている地域識別情報として、当該デジタルＢＳ放送受信機１が設置されている地域を対象として含むものであることが検出された際に、制御部１９が、ＩＲ送信機５に対して、テレビ受像機２の電源をＯＮ状態に設定する制御信号を送信したり、緊急放送用のチャンネルに切替設定させる制御信号を送信したり、緊急放送をより多くの視聴者に通知すべく、音量を大きめに設定させる制御信号を送信したりすることにより、ＩＲ送信機５を介して、デジタルＢＳ放送受信機１は、テレビ受像機２を制御することが可能である。即ち、制御部１９は、テレビ受像機２（表示装置）を制御するための制御手段としても動作している。
【００３７】
また、デジタルＢＳ放送受信機１の制御部１９から、テレビ受像機２に対して、ＩＲ送信機５を介して送信される制御信号は、緊急放送の受信ではない通常テレビ放送の場合における通常放送用制御信号と、緊急放送の受信の場合における緊急放送用制御信号とは、異なる符号形式及び／又は信号形式の制御信号を用いることを可能とし、緊急放送受信の際の緊急放送用制御信号も受信可能なテレビ受像機２は、受信した該緊急放送用制御信号と通常テレビ放送の場合における制御信号とをそれぞれ識別して、指示されているそれぞれの動作を行なうことを可能としている。
【００３８】
而して、緊急放送の受信開始に当たっては、現在のテレビ受像機２の状態を記憶させた後、緊急放送用制御信号を用いて、緊急放送開始信号（テレビ受像機２が待機状態にある場合には、緊急放送用ＯＮ信号）を、デジタルＢＳ放送受信機１からＩＲ送信機５を介してテレビ受像機２に送信することにより、例えば、テレビ受像機２の待機状態から電源ＯＮ状態に強制的に移行させ、更に、緊急放送用チャンネル切替信号や緊急放送用音量設定信号を送信することにより、強制的に、テレビ受像機２を緊急放送の視聴可能な状態に設定させることができる。
【００３９】
また、テレビ受像機２が主電源ＯＦＦ状態にあった場合には、電源供給の中断による待機状態への移行がなされた以降、予め定められた時間（例えば、５秒）経過するまでに、緊急放送用制御信号を用いて、デジタルＢＳ放送受信機１から緊急放送用ＯＮ信号がＩＲ送信機５を介して受信されなかった場合、あるいは、テレビ受像機２の電源スイッチを操作して、主電源ＯＮの状態に設定することがなされなかった場合、引き続き緊急放送の受信動作がなされないものとして、テレビ受像機２の電源状態を、元の主電源ＯＦＦ状態に自動的に復帰させることを可能とする。
【００４０】
更に、緊急放送用制御信号を用いて、緊急放送終了信号を、デジタルＢＳ放送受信機１からＩＲ送信機５を介してテレビ受像機２に送信することにより、テレビ受像機２は、緊急放送前の状態に自動的に復帰させることも可能であるし、逆に、緊急放送終了信号を、デジタルＢＳ放送受信機１からＩＲ送信機５を介してテレビ受像機２に送信する前に、通常放送用の制御信号を送信したり、あるいは、テレビ受像機２又はリモコン装置のスイッチ操作がなされた際には、放送中にある緊急放送内容を視聴者全員が理解することができ、テレビ受像機２を緊急放送の受信状態とは異なる動作状態で、かつ、緊急放送開始前とは異なる動作状態に設定したい場合であると想定されるので、緊急放送前の状態には復帰させずに、送信されてきた通常放送用の制御信号あるいはテレビ受像機２又はリモコン装置のスイッチ操作により指示された動作状態に移行させることも可能である。
【００４１】
次に、実際に、緊急放送を受信した際のＢＳデジタル放送受信機１の動作について、図３に示すフローチャートを用いて、更に詳細に説明する。ここに、図３は、ＢＳデジタル放送受信機１が緊急放送を受信した場合に、制御部１９が行なう制御動作の一例を示すフローチャートである。
まず、ＢＳデジタル放送受信機１の電源がＯＮされている状態においては、常に、緊急放送処理部２０において、緊急状態情報に含まれている緊急情報記述子を監視して、緊急放送の開始又は緊急放送中を示す緊急放送フラグを監視している（ステップＳ１０１）。もし、緊急放送フラグがＯＮの状態に設定されたことが検知された場合（ステップＳ１０１のＹＥＳ）、緊急放送の開始もしくは緊急放送中であることを示しており、次に、緊急状態情報に含まれている地域符号即ち地域識別情報を確認する（ステップＳ１０２）。
【００４２】
即ち、ＢＳデジタル放送受信機１に予め設定されている当該ＢＳデジタル放送受信機１の設置場所情報と地域符号即ち地域識別情報とを照らし合わせて、当該ＢＳデジタル放送受信機１が、緊急放送の対象となる地域であるか否かを判断する（ステップＳ１０２）。もし、緊急放送の対象となる地域内であれば（ステップＳ１０２のＹＥＳ）、実際に緊急放送を放送しているチャンネルを選択して、該チャンネルに切り替えて受信する（ステップＳ１０３）。
【００４３】
次いで、テレビ受像機２に供給されている電力量をモニタしている電流センサ２３の値が、予め定められた一定値より多いか否かを判定することにより、当該ＢＳデジタル放送受信機１に接続されているテレビ受像機２の電源がＯＮかＯＦＦかを判断する（ステップＳ１０４）。もし、電流センサ２３の値が予め定められた一定値よりも少なく、接続されているテレビ受像機２の主電源がＯＦＦであると判断されれば（ステップＳ１０４のＮＯ）、電源部２２の電源スイッチ２２ａをＯＦＦに設定することにより、一旦、テレビ受像機２への電力供給を停止させ（ステップＳ１０５）、しかる後において、予め定められた一定中断時間例えば数百ｍｓ経過した後に、電源部２２の電源スイッチ２２ａをＯＮに設定して、テレビ受像機２への電力供給を再開する（ステップＳ１０６）。
【００４４】
而して、後述するごとく、テレビ受像機２への電力供給の一時中断動作により、テレビ受像機２から緊急放送が開始されることを示す警告音を鳴動させると共に、テレビ受像機２を電源ＯＦＦ状態から待機状態へ移行させる。テレビ受像機２が待機状態に移行した場合においては、ＢＳデジタル放送受信機１からテレビ受像機２を制御するための制御信号を、ＩＲ送信機５に送出し、ＩＲ送信機５において、赤外線無線信号即ちＩＲ信号に変換されて、テレビ受像機２のリモコン受光窓５ｂに向けて送出することにより、ＢＳデジタル放送受信機１からテレビ受像機２を制御することが可能になる。
【００４５】
次に、ＢＳデジタル放送受信機１は、ＩＲ送信機５を介して、テレビ受像機２の電源をＯＮに設定するための制御信号即ち電源ＯＮ信号を、ＩＲ信号として、テレビ受像機２のリモコン受光窓５ｂに向けて送出する（ステップＳ１０７）。なお、ここで用いられるＩＲ信号（赤外線無線信号）は、通常放送に用いられるリモコンにおいてテレビ受像機２をＯＮ／ＯＦＦするための通常放送用制御信号とは、別の符号形式及び／又は信号形式からなる緊急放送用制御信号が用いられており、而して、かかる特別の符号形式及び／又は信号形式からなる緊急放送用電源ＯＮ信号を受信したテレビ受像機２においては、緊急放送の受信を促すための電源ＯＮ信号であることを認識することができる。
【００４６】
次に、テレビ受像機２の入力切替信号及び音量設定信号を示すテレビ受像機制御信号を、緊急放送用制御信号のＩＲ信号として、ＩＲ送信機５を介して、テレビ受像機２のリモコン受光窓５ｂに向けて順次送出する（ステップＳ１０８及びＳ１０９）。ここで、入力切替信号により切り替えられる入力端子は、ＢＳデジタル放送受信機１が接続されている映像信号用外部入力端子９ｂ，音声信号用外部入力端子１０ｂであり、予め、テレビ受像機２とデジタルＢＳ放送受信機１との間は、映像信号用ケーブル９及び音声信号用ケーブル１０を介して接続されており、緊急放送用のチャンネルに入力端子が切り替えられて表示可能とされる。また、ステップＳ１０９で送出される音量設定信号は、緊急放送の受信内容を、テレビ受像機２を介して、より多くの人に対して、より確実に知らせるために、かなり大きめの音量に設定される。
【００４７】
また、前記入力切替信号及び前記音量設定信号も、前述のごとく、通常のリモコンで操作する際に用いられるＩＲ信号（通常放送用制御信号）とは異なる緊急放送用の符号形式及び／又は信号形式が用いられる。
而して、ステップＳ１０９による音量設定信号に基づく音量の設定が終了した時点で、ＢＳデジタル放送受信機１から映像信号用ケーブル９及び音声信号用ケーブル１０を介して送信されてくる緊急放送を受信して表示するテレビ受像機２は、緊急放送の放送チャンネルの映像及び音声を出力し、より多くの人（視聴者）に対して、より確実に緊急情報を通知することができる。
【００４８】
引き続いて、ＢＳデジタル放送受信機１においては、緊急放送処理部２０にて緊急放送の開始もしくは緊急放送中を示す緊急情報記述子の緊急放送フラグを監視している。そして、緊急情報記述子の緊急放送フラグがＯＦＦになったことを確認すると（ステップＳ１１０のＹＥＳ）、緊急放送の受信を終了したことをテレビ受像機２へ通知するために、緊急放送終了信号を示す制御信号を、ＩＲ信号として、ＩＲ送信機５を介して、テレビ受像機２のリモコン受光窓５ｂに向けて送出する（ステップＳ１１１）。そして、ＢＳデジタル放送受信機１は、ステップＳ１０１に戻り、緊急放送処理部２０にて、緊急情報記述子の緊急放送フラグが次にＯＮに設定されてくることを、引き続き、監視し続ける（ステップＳ１０１）。
【００４９】
次に、実際に、緊急放送を受信した際にＢＳデジタル放送受信機１がテレビ受像機２の電源を制御する詳細な動作の一例について、図４及び図５に示すフローチャートを用いて説明する。ここに、図４は、緊急放送を受信した際にＢＳデジタル放送受信機１がテレビ受像機２の電源を制御する動作の一例を示すフローチャートであり、図５は、テレビ受像機２の電源を制御する動作を示す図４の動作を引き続く残りの動作の一例を示すフローチャートである。なお、図４及び図５には、終了点を表示していないが、全てのステップにおいて、電力供給が停止された時を終了とするものである。
【００５０】
まず、ＢＳデジタル放送受信機１のアウトレット７にテレビ受像機２のテレビ受像機電源プラグ６を接続した後、ＢＳデジタル放送受信機１からテレビ受像機２に対して電源部２２の電源スイッチ２２ａをＯＮに設定して電力供給を開始した場合（ステップＳ２０１のＹＥＳ）、最初に、不揮発性メモリ１７の電源状態記憶部１７ａに記憶されている電源状態種別を読み出す（ステップＳ２０２）。ここに、電源状態種別とは、テレビ受像機２の電源に設定すべき状態種別を示すもの（即ち、主電源ＯＮ状態，待機状態，主電源ＯＦＦ状態のいずれの電源状態に設定されているかを示す電源状態種別）であり、例えば、緊急放送前に設定されていた今までの電源状態に復帰させて設定するために用意されているものである。該電源状態種別に応じて、それぞれ異なる動作が行なわれる。
【００５１】
電源状態記憶部１７ａから読み出されたテレビ受像機２の電源状態種別を判定する（ステップＳ２０３）。読み出されたテレビ受像機２の電源状態種別が主電源ＯＮ状態であった場合には（ステップＳ２０３の「ＯＮ」の場合）、テレビ受像機２の主電源をＯＮに設定した後（ステップＳ２０４）、不揮発性メモリ１７の電源状態記憶部１７ａに、再度、主電源ＯＮ状態の旨を、念のため、記憶させる（ステップＳ２０５）。しかる後、不揮発性メモリ１７の動作状態記憶部１７ｂに記憶されている動作状態を読み出し（ステップＳ２０６）、記憶されている動作状態に、テレビ受像機２の動作状態を設定する（ステップＳ２０７）。ここに、動作状態記憶部１７ｂに記憶されている動作状態とは、テレビ受像機２に設定すべき通常放送の視聴状態を設定するものであり、例えば、選択チャンネルの指定や音量の指定等の情報からなっている。そして、テレビ受像機２に対するＩＲ送信機５からの制御信号が入力されるか、あるいは、テレビ受像機２のスイッチが操作されるのを待ち合わせる（ステップＳ２０８）。
【００５２】
ここで、主電源スイッチをＯＦＦとする操作がなされたならば（ステップＳ２０９のＹＥＳ）、テレビ受像機２の主電源をＯＦＦに設定し（ステップＳ２１０）、不揮発性メモリ１７の電源状態記憶部１７ａに主電源ＯＦＦ状態を記憶させる（ステップＳ２１１）。そして、次に、主電源スイッチがＯＮにされるのを待ち合わせ（ステップＳ２１２）、主電源スイッチが再度ＯＮにされた場合（ステップＳ２１３のＹＥＳ）、ステップＳ２０４に戻り、テレビ受像機２の主電源をＯＮに設定する動作を繰り返す。なお、電源状態記憶部１７ａ及び動作状態記憶部１７ｂは、ＢＳデジタル放送受信機１の不揮発性メモリ１７に配置することとせずに、テレビ受像機２側に制御用不揮発性メモリとして保持させて、テレビ受像機２の電源状態の如何に関わらず、ＢＳデジタル放送受信側１側の制御部１９により読み書き可能なように構成しても良い。
【００５３】
また、ステップＳ２０８において、即ち、テレビ受像機２に対するＩＲ送信機５からの制御信号が入力されるか、あるいは、テレビ受像機２のスイッチが操作されるのを待ち合わせている状態において、主電源スイッチＯＦＦの操作ではなく、何らかの制御信号をＩＲ送信機５から受信した場合（ステップＳ２０９のＮＯ）、受信した制御信号が、緊急放送受信時に使われる緊急放送用制御信号か、又は、通常放送の状態における通常放送用制御信号（即ち、視聴制御用リモコン信号）かを判断する（ステップＳ２１４）。もし、通常放送用制御信号であったならば（ステップＳ２１４のＮＯ）、まず、電源ＯＦＦ信号か否かを判断し（ステップＳ２１５）、受信した該通常放送用制御信号が、電源ＯＦＦ信号であるならば（ステップＳ２１５のＹＥＳ）、テレビ受像機２を待機状態に設定した後（ステップＳ２１６）、待機状態に設定した旨の電源状態を、電源状態記憶部２７に記憶させる（ステップＳ２１７）。しかる後、ステップＳ２２１に移行して、待機状態において、テレビ受信機２に対するＩＲ送信機５からの制御信号の入力又はスイッチ操作が行なわれるのを待ち合わせる。
【００５４】
一方、受信した通常放送用制御信号が、電源ＯＦＦ信号以外であるならば（ステップＳ２１５のＮＯ）、受信した通常放送用制御信号により指示された状態に設定変更（例えば、視聴チャンネルの切替指示の場合であれば、チャンネルの切り替えなどの設定）を行ない（ステップＳ２１８）、設定変更された動作状態を不揮発性メモリ１７の動作状態記憶部１７ｂに記憶させ（ステップＳ２１９）、ステップＳ２０８に復帰して、次のテレビ受像機２に対する制御信号の入力、あるいは、何らかのスイッチの操作がなされるのを待ち合わせる状態に復帰する。
【００５５】
次に、ステップＳ２０３において、読み出されたテレビ受像機２の電源状態種別が待機状態であった場合には（ステップＳ２０３の「待機」の場合）、テレビ受像機２を待機状態に設定して（ステップＳ２２０）、テレビ受信機２に対する制御信号の入力又はスイッチ操作が行なわれるのを待ち合わせる（ステップＳ２２１）。
ここで、主電源スイッチがＯＦＦの操作がなされたならば（ステップＳ２２２のＹＥＳ）、テレビ受像機２の主電源をＯＦＦに設定するために、ステップＳ２１０に移行し、主電源をＯＦＦ状態に設定させる。
【００５６】
一方、ステップＳ２２１の待ち合わせ状態において、主電源スイッチＯＦＦの操作ではなく、何らかの制御信号をＩＲ送信機５から受信した場合（ステップＳ２２２のＮＯ）、受信した制御信号が、電源ＯＮ信号であるか否かを判断する（ステップＳ２２３）。即ち、待機状態にある場合、電源ＯＮ信号以外の制御信号を受け付けることができないために、電源ＯＮ信号以外の制御信号であれば（ステップＳ２２３のＮＯ）、受信した制御信号は無視して、受信した制御信号に対応する動作を行なうことなく、直ちに、ステップＳ２２１に戻り、テレビ受信機２に対する制御信号の入力又はスイッチ操作が行なわれるのを、再度待ち合わせる。
【００５７】
受信した制御信号が、電源ＯＮ信号であった場合は（ステップＳ２２３のＹＥＳ）、まず、電源をＯＮの状態に設定し（ステップＳ２２４）、次いで、受信した該電源ＯＮ信号が、緊急放送受信時の緊急放送用電源ＯＮ信号か通常放送用電源ＯＮ信号かを判断する（ステップＳ２２５）。
通常放送用電源ＯＮ信号であった場合には（ステップＳ２２５のＮＯ）、ステップＳ２２４にて設定した電源ＯＮ状態の旨を、不揮発性メモリ１７の電源状態記憶部１７ａに記憶させ、不揮発性メモリ１７の動作状態記憶部１７ｂに記憶されている以前の動作状態（視聴状態）に、テレビ受像機２の動作状態を設定するために、ステップＳ２０５に移行する。
【００５８】
ステップＳ２２５において、受信した該電源ＯＮ信号が、緊急放送受信の際になされた緊急放送用電源ＯＮ信号であった場合には（ステップＳ２２５のＹＥＳ）、緊急放送を受信するための緊急放送モードに入り、次いで、緊急放送用の制御信号の入力又はスイッチ操作が行なわれるのを待ち合わせる（ステップＳ２２６）。
かかる緊急放送モードにおいては、テレビ受像機２の電源状態や動作状態を、不揮発性メモリ１７の電源状態記憶部１７ａや動作状態記憶部１７ｂに記憶することは行なわずに、ただ、緊急放送用制御信号によって指示された状態に、テレビ受像機２の状態の変更設定を行なうだけである。
【００５９】
しかし、ここで、緊急放送用制御信号の受信がされずに、テレビ受像機２の主電源ＯＦＦの操作がなされた場合（ステップ２２７のＹＥＳ）、該操作に応じて、緊急放送モードが解除されて、通常の放送モードに復帰し、テレビ受像機２の主電源をＯＦＦに設定し、不揮発性メモリ１７の電源状態記憶部１７ａに主電源ＯＦＦ状態を記憶させ、次に、主電源スイッチがＯＮにされるのを待つ状態に設定するために、ステップＳ２１０に移行する。また、緊急放送用制御信号以外の通常放送用制御信号を受信した場合も（ステップＳ２２８のＮＯ）、同様に、該通常放送用制御信号の受信に応じて、緊急放送モードが解除されて、通常の放送モードに復帰し、通常の放送モードにおける電源のＯＦＦ信号や動作状態の設定変更等を指示する通常放送用制御信号の受信に基づいて、通常放送における動作状態を変更設定するために、ステップＳ２１５に移行する。
【００６０】
緊急放送モードにおいて、主電源のＯＦＦの操作もされず（ステップＳ２２７のＮＯ）、また、緊急放送用制御信号以外の通常放送用制御信号も受信させず（ステップＳ２２８のＮＯ）、緊急放送の終了を示す緊急放送終了信号以外の緊急放送用制御信号を受信した場合には（ステップＳ２２９のＮＯ）、前述の通り、受信された該緊急放送用制御信号によって指示された状態に、テレビ受像機２の状態を強制的に設定変更を行ない（ステップＳ２３０）、次の緊急放送用の制御信号の入力又はスイッチ操作が行なわれるのを待ち合わせるために、ステップＳ２２６に復帰する。
【００６１】
一方、緊急放送の終了を示す緊急放送終了信号がＩＲ送信機５から受信された場合（ステップＳ２２９のＹＥＳ）、緊急放送モードを完了させて、通常の放送モードに復帰させると共に、不揮発性メモリ１７の電源状態記憶部１７ａに記憶されている電源状態と動作状態記憶部１７ｂに記憶されている動作状態とに基づいて、緊急放送受信前の元の視聴状態に復帰させる。即ち、まず、不揮発性メモリ１７の電源状態記憶部１７ａに記憶されている緊急放送開始前の電源状態を読み出して（ステップＳ２３１）、読み出された電源状態種別を判定し（ステップＳ２３２）、該電源状態種別が主電源ＯＮの状態の場合であれば（ステップＳ２３２の「ＯＮ」の場合）、ステップＳ２０４に復帰し、該電源状態種別が待機状態の場合であれば（ステップＳ２３２の「待機」の場合）、ステップＳ２２０に復帰し、該電源状態種別が主電源ＯＦＦの状態の場合であれば（ステップＳ２３２の「ＯＦＦ」の場合）、ステップＳ２１０に復帰する。
【００６２】
次に、ステップＳ２０３において、読み出されたテレビ受像機２の電源状態種別がＯＦＦ状態であった場合に（ステップＳ２０３の「ＯＦＦ」の場合）について説明する。電源状態種別がＯＦＦ状態にある際に、緊急放送が開始される状態にあることがＢＳデジタル放送受信機１の緊急放送処理部２０にて検知されていた場合、図３のフローチャートのステップＳ１０４乃至Ｓ１０６に示すように、電流センサ２３の電流値をチェックして、テレビ受像機２の主電源スイッチがＯＦＦの状態に設定されているか否かが確認される。主電源スイッチがＯＦＦの状態にあれば、前記電力供給中断手段を用いて、電源部２２の電源スイッチ２２ａを一旦ＯＦＦの状態に設定して、テレビ受像機２への電力供給を停止させ、予め定められた一定中断時間例えば数百ｍｓ経過した後に、再度、電源部２２の電源スイッチ２２ａをＯＮに設定して、テレビ受像機２への電力供給を再開させることとしている。
【００６３】
而して、テレビ受像機２は、中断検知センサ２４により、電力供給の一定中断時間、例えば、数百ｍｓ以上に及ぶ一時的な中断を検知して、警告音出力部２５を駆動して、緊急放送が開始されることを示す警告音を鳴動させると共に、待機移行部２６を駆動して、テレビ受像機２を一時的に待機状態に移行させる（ステップＳ２３３）。
テレビ受像機２が待機状態に移行した場合においては、ＢＳデジタル放送受信機１からＩＲ送信機５を介して送信されてくるテレビ受像機２への制御信号（ＩＲ信号）をテレビ受像機２側で受信することが可能になる。
次に、テレビ受像機２を一時的に待機状態に設定して、ＩＲ送信機５からの制御信号（ＩＲ信号）の受信が可能な状態に設定された後（即ち、電力供給再開後）、予め定められた時間内に、例えば、５秒の間に、何らかの制御信号の入力又は電源スイッチ操作がなされるまで待ち合わせる（ステップＳ２３４）。
【００６４】
予め定められた前記時間内（例えば、５秒）の間に、電源ＯＮ信号が受信された場合は（ステップＳ２３５のＹＥＳ）、待機状態から抜け出し、テレビ受像機２の電源をＯＮ状態に設定し、ステップＳ２２４に移行する。
【００６５】
従って、かかる場合においては、ステップＳ２２４に移行して、電源がＯＮ状態に設定された後、ステップＳ２３０において、緊急放送を視聴可能とすべく、図３に示すステップＳ１０８及びＳ１０９に示すように、緊急放送用のチャンネルに切替設定されると共に、より多くの視聴者に通知可能なように、大きめの音量に音量ボリュームが設定されることとなる。
而して、たとえ、テレビ受像機２の主電源がＯＦＦの状態になっていた場合であっても、緊急放送が開始される場合においては、自動的に、緊急放送の開始を通知する警告音を鳴動させると共に、テレビ受像機２を緊急放送が視聴可能な状態に設定させることができる。
【００６６】
また、予め定められた前記時間内（例えば、５秒）の間に、主電源スイッチのＯＮ操作がなされた場合は（ステップＳ２３６のＹＥＳ）、待機状態から抜け出し、テレビ受信機２の主電源をＯＮ状態に設定するために、ステップＳ２０４に移行する。
【００６７】
一方、予め定められた前記時間内（例えば、５秒）の間に、緊急放送用電源ＯＮ信号も受信されず、また、主電源スイッチのＯＮ操作もなされなく、予め定められた前記時間（例えば、５秒）が経過してしまった場合（ステップＳ２３７のＹＥＳ）、緊急放送の受信がなされていないものとして、再度、電源をＯＦＦ状態に戻すために、ステップＳ２１０に移行する。
なお、本実施例においては、電源を一時的に待機状態に設定する予め定められた前記時間として、例えば、５秒間としている。しかし、予め定められた前記時間は、緊急放送受信システムの構成により、５秒に限ることなく、必要とする時間に変更して設定されても構わない。
【００６８】
【発明の効果】
本発明に係る緊急放送受信システム、及び、該緊急放送受信システムに用いられるテレビ放送受信装置と表示装置（テレビ受像機）は、前述したような構成としているので、たとえ、表示装置（テレビ受像機）に電源スイッチがあり、主電源がＯＦＦ状態であったとしても、緊急放送が受信された場合には、テレビ放送受信装置から表示装置（テレビ受像機）への電源供給を一時中断させることにより、緊急放送の開始を通知するための警告音を鳴動させると共に、表示装置（テレビ受像機）を、予め定められた時間の間、一時的に、該表示装置に対する制御信号を受信可能な待機状態に設定することが可能である。
【００６９】
而して、予め定められた前記時間内に、前記テレビ放送受信装置から制御信号を前記表示装置に対して送信して、当該テレビ放送受信装置からの電力供給により、当該表示装置の表示動作を自動的に可能とする状態に設定すると共に、前記テレビ放送受信装置からの制御信号を用いて、当該表示装置の入力端子を緊急放送用のチャンネルに切替設定し、かつ、大きめの音量に設定することが可能であるので、緊急放送を表示装置に映出し、より多くの人に緊急事態であることを通知することができる。
【００７０】
また、緊急放送開始前の通常放送における前記表示装置の電源状態や動作状態を記憶する手段を備えているので、緊急放送の終了の際に、緊急放送開始前の状態に、当該表示装置の状態を自動的に復帰させることが可能である。
【図面の簡単な説明】
【図１】本発明に係る緊急放送受信システムの構成の一例をＢＳデジタル放送の場合を例にして示した概念図である。
【図２】図１に示すＢＳデジタル放送受信機１の詳細な構成の一例を示すブロック構成図である。
【図３】ＢＳデジタル放送受信機が緊急放送を受信した場合に、制御部が行なう制御動作の一例を示すフローチャートである。
【図４】緊急放送を受信した際にＢＳデジタル放送受信機がテレビ受像機の電源を制御する動作の一例を示すフローチャートである。
【図５】テレビ受像機の電源を制御する動作を示す図４の動作を引き続く残りの動作の一例を示すフローチャートである。
【符号の説明】
１…ＢＳデジタル放送受信機、２…テレビ受像機、３…パラボラアンテナ、４…アンテナケーブル、５…ＩＲ送信機、５ａ…制御信号接続端子、５ｂ…リモコン受光窓、６…テレビ受像機電源プラグ、７…アウトレット、８…デジタルＢＳ放送受信機電源プラグ、９…映像信号用ケーブル、９ａ…映像出力端子、９ｂ…映像信号用外部入力端子、１０…音声信号用ケーブル、１０ａ…音声出力端子、１０ｂ…音声信号用外部入力端子、１１…チューナ、１２…復調器、１３…トランスポートストリーム分離部、１４…音声処理部、１５…映像処理部、１６…オンスクリーン生成部、１７…不揮発性メモリ、１７ａ…電源状態記憶部、１７ｂ…動作状態記憶部、１８…メモリ、１９…制御部、２０…緊急放送処理部、２１…電源ケーブル、２２…電源部、２２ａ…電源スイッチ、２３…電流センサ、２４…再開検知センサ、２５…警告音出力部、２６…待機移行部。
【図１】
2004023591.tif 000003
【図２】
2004023591.tif 000004
【図３】
2004023591.tif 000005
【図４】
2004023591.tif 000006
【図５】
2004023591.tif 000007